(57)【要約】      （修正有）【課題】半固形食品に使用しても、半固形食品と半固形食品容器の間に空気が入ることのない半固形食品容器を提供することである。【解決手段】第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体と、駆動部Ｄと掴み部Ｈからなる手動回転摺動軸廻しと、回転摺動軸ＲＳの一方側に食品穴ｆＨを有する固定軸ＦＳが挿入され、回転摺動軸ＲＳの他方側において、回転摺動軸ＲＳと第３の口部Ｏ３が結合されてなり、回転摺動軸ＲＳは、固定軸ＦＳに対して、周方向に回転可能に、軸方向に摺動可能に結合されてなる。【選択図】図１
0003201664.tif 000002
【実用新案登録請求の範囲】
【請求項１】
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることを特徴とする半固形食品容器１００。
【請求項２】
手動回転摺動軸廻しＨＤの掴み部Ｈが外側容器Ｃ１の底部と篏合してなることを特徴とする請求項１に記載された半固形食品容器１００。
【請求項３】
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることを特徴とする請求項１〜２の何れかに記載された半固形食品容器１００。
【請求項４】
回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることを特徴とする請求項１〜３の何れかに記載された半固形食品容器１００。
【請求項５】
外側容器入口部Ｃ１には、使用しない場合、半固形食品ｆが外に出て行かないように蓋ｃをしてなることを特徴とする請求項１〜４の何れかに記載された半固形食品容器１００。
【請求項６】
半固形食品ｆが、マヨネーズ、ケチャップ、練りからし、山葵であることを特徴とする請求項１〜５の何れかに記載された半固形食品容器１００。
【考案の詳細な説明】
【技術分野】
【０００１】
本考案は、半固形食品容器に関する。
【背景技術】
【０００２】
従来の半固形食品容器については、半固形食品容器を使用すると、半固形食品と半固形食品容器の間に空気が入ることによって、半固形食品が酸化して、味が落ちるということが指摘されていた。
【０００３】
考案者は、かかる従来技術の欠点に鑑み鋭意研究した結果、本願考案を完成させた。
【先行技術文献】
【特許文献】
【０００４】
本願考案に係る半固形食品容器について、ＦＩ、キーワード検索を行ったところ、本件考案（本願の［実用新案登録請求の範囲］の請求項１〜６に記載の考案）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
半固形食品容器を使用しても、半固形食品と半固形食品容器の間に空気が入ることのない半固形食品容器を提供することである。
○本考案が解決しようとする第２課題
本考案が解決しようとする第２課題は、
省資源の観点から、半固形食品と半固形食品容器の間に空気が入ることのない、半固形食品を完全に使い切ることができる半固形食品容器を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
以下、本考案に係る、半固形食品容器１００の用語について、図面を参照しながら説明する。
●半固形食品容器１００とは、二重構造の容器体Ｃ１２と、駆動部Ｄと掴み部Ｈからなる手動回転摺動軸廻しＨＤと、回転摺動固定軸ＲＦＳとからなり、半固形食品を空気が入ることのなく完全に使い切るための容器である（図１）。
●二重構造の容器体Ｃ１２とは、第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造になっている容器体をいう（図２）。
●手動回転摺動軸廻しＨＤとは、駆動部Ｄと掴み部Ｈからなる手動で回転摺動軸を回転させるものである（図８）。
●駆動部Ｄとは、回転摺動軸ＲＳに直接作用して回転摺動軸ＲＳを回転させる部分をいう。
例えば、駆動部Ｄは、回転摺動軸ＲＳの容器底側（角穴ｈ）に挿入されてなるものが例示される。
●掴み部Ｈとは、手動回転摺動軸廻しＨＤの中の手で掴んで駆動部Ｄを回転させる部分をいう。
●回転摺動固定軸ＲＦＳとは、回転摺動軸ＲＳと回転摺動軸ＲＳに挿入された固定軸ＦＳからなり、
回転摺動軸ＲＳの一方側に食品穴ｆＨを有する固定軸ＦＳが挿入され、回転摺動軸ＲＳの他方側において、回転摺動軸ＲＳと第３の口部Ｏ３が結合されてなり、回転摺動軸ＲＳは、固定軸ＦＳに対して、周方向に回転可能に、軸方向に摺動可能に結合されてなるものをいう（図３）。
●回転摺動軸ＲＳとは、
（１）回転摺動軸ＲＳの容器口側に食品穴ｆＨを有する固定軸ＦＳが挿入され、
（２）回転摺動軸ＲＳの容器底側と第３の口部Ｏ３が結合されてなると共に、
（３）回転摺動軸ＲＳは、固定軸ＦＳに対して、周方向に回転可能に、軸方向に摺動可能に結合されてなる回転摺動可能な軸をいう（図７）。
●固定軸ＦＳとは、容器口付近に食品穴ｆＨを有し、回転摺動軸ＲＳの容器口側に挿入され、固定軸ＦＳの容器口側が第２の口部Ｏ２と結合されると固定して動かない軸をいう（図８）。
●外側容器Ｃ１とは、内側容器Ｃ２を入れる容器であり、第１の口部Ｏ１を有するが、外側容器Ｃ１の底部は開口されてなり、内側容器Ｃ２よりも剛性を有する容器である。
●内側容器Ｃ２とは、半固形食品ｆを入れる容器であり、第２の口部Ｏ２を有するが、内側容器Ｃ２の底部に第３の口部Ｏ３が設けられ、内側容器Ｃ２の容器部は柔軟性を有すると共に、第１の口部Ｏ１を有する外側容器Ｃ１の中に入っている容器である。
●第１の口部Ｏ１とは、外側容器Ｃ１の容器口側に設けられた口部をいう。
●第２の口部Ｏ２とは、内側容器Ｃ２の容器口側に設けられた口部をいう。
●第３の口部Ｏ３とは、内側容器Ｃ２の容器底側に設けられた口部をいう。
●手動回転摺動軸廻しＨＤの摘み部Ｈが外側容器Ｃ１の底部と篏合してなるとは、手動回転摺動軸廻しＨＤの摘み部Ｈの容器口側が筒状になっていて、外側容器Ｃ１の底部がスキマを有するように挿入されてなることをいう。
●食品穴ｆＨとは、内側容器Ｃ２に入れられた半固形食品ｆを送出するための通り道となるべく固定軸ＦＳに設けられた空洞をいう（図５、図６）。
内側容器Ｃ２内の空間と半固形食品容器１００の外の空間が食品穴ｆＨによって通じていることによって、内側容器Ｃ２に入れられた半固形食品ｆを送出することが可能となる。
また、逆に、内側容器Ｃ２内の空間と半固形食品容器１００の外の空間が食品穴ｆＨによって通じていることによって、半固形食品容器１００の外から半固形食品ｆを内側容器Ｃ２に入れることも可能となる。
●角穴ｈとは、回転摺動軸ＲＳの容器底側に設けられた多角形の穴をいう。
例えば、多角形として、四角形、六角形が例示される。
手動回転摺動軸廻しＨＤの駆動部Ｄを角穴ｈに挿入して、手動回転摺動軸廻しＨＤを手で回すと、回転摺動軸ＲＳが回転摺動されることとなる。
●蓋ｃとは、外側容器Ｃ１の第１の口部Ｏ１に被せる蓋をいう。
＊＊＊＊＊＊＊＊＊＊＊＊＊＊＊＊＊＊＊＊＊＊＊＊＊＊＊＊＊＊＊＊＊＊＊
＜本願考案に係る半固形食品容器１００の製作手順＞
本発明に係る本願考案に係る半固形食品容器１００の製作手順を、以下の通りステップ１（Ｓ１）〜ステップ４（Ｓ４）に示す。
●ステップ１（Ｓ１）
外側容器Ｃ１の中に、内側容器Ｃ２を入れ、第１の口部Ｏ１と第２の口部Ｏ２が結合してなる二重構造の容器体Ｃ１２を製作する。
●ステップ２（Ｓ２）
回転摺動軸ＲＳの容器口側に食品穴ｆＨを有する固定軸ＦＳを挿入し、回転摺動軸ＲＳは、固定軸ＦＳに対して、周方向に回転可能に、軸方向に摺動可能に結合されてなる回転摺動固定軸ＲＦＳを製作する。
●ステップ３（Ｓ３）
回転摺動固定軸ＲＦＳを内側容器Ｃ２の中に挿入し、回転摺動軸ＲＳの容器底側と第３の口部Ｏ３を結合し、固定軸ＦＳと第２の口部Ｏ２を結合する。
●ステップ４（Ｓ４）
手動回転摺動軸廻しＨＤの摘み部Ｈを外側容器Ｃ１の底部と篏合させる。
＊＊＊＊＊＊＊＊＊＊＊＊＊＊＊＊＊＊＊＊＊＊＊＊＊＊＊＊＊＊＊＊＊＊＊
＜本願考案に係る半固形食品容器１００の使用方法＞
製作された本願考案に係る半固形食品容器１００は、以下のようにして使用する。
（１）手動回転摺動軸廻しＨＤが回転摺動軸ＲＳを回転駆動させることによって内側容器Ｃ２が捩られ、同時に軸方向に摺動することによって、内側容器Ｃ２の容積が減少して、半固形食品ｆを食品穴ｆＨを通って送出させる（絞り出す）ことが可能となる。
（２）半固形食品ｆを完全に使い切るまで、（１）を繰り返す。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることを特徴とする請求項１に記載された半固形食品容器１００である。
○第２の考案（請求項２に記載の考案）
上記の課題を解決するための第２の考案（請求項２に記載の考案）は、
手動回転摺動軸廻しＨＤの掴み部Ｈが外側容器Ｃ１の底部と篏合してなることを特徴とする請求項１に記載された半固形食品容器１００である。
○第３の考案（請求項３に記載の考案）
上記の課題を解決するための第３の考案（請求項３に記載の考案）は、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることを特徴とする請求項１〜２の何れかに記載された半固形食品容器１００である。
○第４の考案（請求項４に記載の考案）
上記の課題を解決するための第４の考案（請求項４に記載の考案）は、
回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることを特徴とする請求項１〜３の何れかに記載された半固形食品容器１００である。
○第５の考案（請求項５に記載の考案）
上記の課題を解決するための第５の考案（請求項５に記載の考案）は、
外側容器入口部Ｃ１には、使用しない場合、半固形食品ｆが外に出て行かないように蓋ｃをしてなることを特徴とする請求項１〜４の何れかに記載された半固形食品容器１００である。
○第６の考案（請求項６に記載の考案）
上記の課題を解決するための第６の考案（請求項６に記載の考案）は、
半固形食品ｆが、マヨネーズ、ケチャップ、練りからし、山葵であることを特徴とする請求項１〜５の何れかに記載された半固形食品容器１００である。
【考案の効果】
【０００７】
本考案に係る、半固形食品容器１００は、上記のような特徴的構成要件から構成され、特徴的構成要件に応じた、以下のような本願考案特有の効果を奏する。
また、上記の各考案に応じた、上記のような特徴的構成要件から構成された半固形食品容器１００によれば、本願考案の課題を十分解消することができた。
○第１の考案の効果
第１の考案によれば、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることという特徴的な構成要件により、本考案が解決しようとする第１課題〜第２課題を達成することができ、当業者予測不可能な顕著な効果を奏することができた。
○第２の考案の効果
第２の考案によれば、
手動回転摺動軸廻しＨＤの掴み部Ｈが外側容器Ｃ１の底部と篏合してなることという特徴的な構成要件により、本考案が解決しようとする第１課題〜第２課題を達成することができ、当業者予測不可能な顕著な効果を奏することができた。
○第３の考案の効果
第３の考案によれば、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることという特徴的な構成要件により、本考案が解決しようとする第１課題〜第２課題を達成することができ、当業者予測不可能な顕著な効果を奏することができた。
○第４の考案の効果
第４の考案によれば、
回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることという特徴的な構成要件により、本考案が解決しようとする第１課題〜第２課題を達成することができ、当業者予測不可能な顕著な効果を奏することができた。
○第５の考案の効果
第５の考案によれば、
外側容器入口部Ｃ１には、使用しない場合、半固形食品ｆが外に出て行かないように蓋ｃをしてなることという特徴的な構成要件により、本考案が解決しようとする第１課題〜第２課題を達成することができ、当業者予測不可能な顕著な効果を奏することができた。
○第６の考案の効果
第６の考案によれば、
半固形食品ｆが、マヨネーズ、ケチャップ、練りからし、山葵であることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、半固形食品容器１００に関する最良の実施形態について、図面を参照しながら説明する。
図１は、半固形食品容器１００の構成図（断面図）である。断面は、構成部分毎に濃淡を付けている。
図２は、回転摺動軸ＲＳと固定軸ＦＳからなる回転摺動固定軸ＲＦＳを表す図である。
図３は、外側容器Ｃ１と内側容器Ｃ２とからなる二重構造の容器体Ｃ１２を表す図である。
図４は、二重構造の容器体Ｃ１２の中に、回転摺動固定軸ＲＦＳを挿入した状態を表す図である。
図５は、半固形食品容器１００の外から半固形食品ｆを内側容器Ｃ２に入れる状態を表す図である。
図６は、内側容器Ｃ２に入れた半固形食品ｆを半固形食品容器１００の外へ絞り出す状態を表す図である。
図７は、回転摺動軸ＲＳを表す図である。（Ａ）図は、回転摺動軸ＲＳの正面断面図であり、（Ｂ）図は、（Ａ）図のＡＡ矢視断面図であり、（Ｃ）図は、（Ａ）図のＢＢ矢視断面図である。
図８は、手動回転摺動軸廻しＨＤを表す図である。（Ａ）図は、手動回転摺動軸廻しＨＤの正面断面図であり、（Ｂ）図は、（Ａ）図のＡＡ矢視断面図である。
図９は、固定軸ＦＳを表す図である。（Ａ）図は、固定軸ＦＳの正面断面図であり、（Ｂ）図は、固定軸ＦＳの左側面図であり、（Ｃ）図は、固定軸ＦＳの右側面図であり、（Ｄ）図のＡＡ矢視断面図であり、（Ｅ）図は、（Ａ）図のＢＢ矢視断図である。
以下、本考案に係る、半固形食品容器１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることを特徴とする半固形食品容器１００が開示されている。
○第１の考案の効果
第１の考案によれば、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
手動回転摺動軸廻しＨＤの掴み部Ｈが外側容器Ｃ１の底部と篏合してなることを特徴とする請求項１に記載された半固形食品容器１００が開示されている。
○第２の考案の効果
第２の考案によれば、
手動回転摺動軸廻しＨＤの掴み部Ｈが外側容器Ｃ１の底部と篏合してなることという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることを特徴とする請求項１〜２の何れかに記載された半固形食品容器１００が開示されている。
○第３の考案の効果
第３の考案によれば、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることを特徴とする請求項１〜３の何れかに記載された半固形食品容器１００が開示されている。
○第４の考案の効果
第４の考案によれば、回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
外側容器入口部Ｃ１には、使用しない場合、半固形食品ｆが外に出て行かないように蓋ｃをしてなることを特徴とする請求項１〜４の何れかに記載された半固形食品容器１００が開示されている。
○第５の考案の効果
第５の考案によれば、外側容器入口部Ｃ１には、使用しない場合、半固形食品ｆが外に出て行かないように蓋ｃをしてなることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
半固形食品ｆが、マヨネーズ、ケチャップ、練りからし、山葵であることを特徴とする請求項１〜５の何れかに記載された半固形食品容器１００が開示されている。
○第６の考案の効果
第６の考案によれば、半固形食品ｆが、マヨネーズ、ケチャップ、練りからし、山葵であることという特徴的な構成要件により、本考案が解決しようとする第１課題〜第２課題を達成することができ、当業者予測不可能な顕著な効果を奏することができた。
【図面の簡単な説明】
【０００９】
【図１】図１は、半固形食品容器１００の構成図（断面図）である。断面は、構成部分毎に濃淡を付けている。
【図２】図２は、回転摺動軸ＲＳと固定軸ＦＳからなる回転摺動固定軸ＲＦＳを表す図である。
【図３】図３は、外側容器Ｃ１と内側容器Ｃ２とからなる二重構造の容器体Ｃ１２を表す図である。
【図４】図４は、二重構造の容器体Ｃ１２の中に、回転摺動固定軸ＲＦＳを挿入した状態を表す図である。
【図５】図５は、半固形食品容器１００の外から半固形食品ｆを内側容器Ｃ２に入れる状態を表す図である。
【図６】図６は、内側容器Ｃ２に入れた半固形食品ｆを半固形食品容器１００の外へ絞り出す状態を表す図である。
【図７】図７は、回転摺動軸ＲＳを表す図である。（Ａ）図は、回転摺動軸ＲＳの正面断面図であり、（Ｂ）図は、（Ａ）図のＡＡ矢視断面図であり、（Ｃ）図は、（Ａ）図のＢＢ矢視断面図である。
【図８】図８は、手動回転摺動軸廻しＨＤを表す図である。（Ａ）図は、手動回転摺動軸廻しＨＤの正面断面図であり、（Ｂ）図は、（Ａ）図のＡＡ矢視断面図である。
【図９】図９は、固定軸ＦＳを表す図である。（Ａ）図は、固定軸ＦＳの正面断面図であり、（Ｂ）図は、固定軸ＦＳの左側面図であり、（Ｃ）図は、固定軸ＦＳの右側面図であり、（Ｄ）図のＡＡ矢視断面図であり、（Ｅ）図は、（Ａ）図のＢＢ矢視断図である。
【符号の説明】
【００１０】
Ｏ１……第１の口部
Ｃ１……外側容器
Ｏ２……第２の口部
Ｃ２……内側容器
Ｏ３……第３の口部
Ｃ１２……二重構造の容器体
Ｄ……駆動部
Ｈ……掴み部
ＨＤ……手動回転摺動軸廻し
ＲＳ……回転摺動軸
ＦＳ……固定軸
ＲＦＳ……回転摺動固定軸
１００……半固形食品容器
ｆ……半固形食品
ｆＨ……食品穴
ｈ……角穴
【図１】
0003201664.tif 000003
【図２】
0003201664.tif 000004
【図３】
0003201664.tif 000005
【図４】
0003201664.tif 000006
【図５】
0003201664.tif 000007
【図６】
0003201664.tif 000008
【図７】
0003201664.tif 000009
【図８】
0003201664.tif 000010
【図９】
0003201664.tif 000011
【手続補正書】
【提出日】平成27年10月23日(2015.10.23)
【手続補正１】
【補正対象書類名】実用新案登録請求の範囲
【補正対象項目名】請求項５
【補正方法】変更
【補正の内容】
【請求項５】
第１の口部Ｏ１には、使用しない場合、半固形食品ｆが外に出て行かないように蓋ｃをしてなることを特徴とする請求項１〜４の何れかに記載された半固形食品容器１００。
【手続補正２】
【補正対象書類名】明細書
【補正対象項目名】全文
【補正方法】変更
【補正の内容】
【考案の詳細な説明】
【技術分野】
【０００１】
本考案は、半固形食品容器に関する。
【背景技術】
【０００２】
従来の半固形食品容器については、半固形食品容器を使用すると、半固形食品と半固形食品容器の間に空気が入ることによって、半固形食品が酸化して、味が落ちるということが指摘されていた。
【０００３】
考案者は、かかる従来技術の欠点に鑑み鋭意研究した結果、本願考案を完成させた。
【先行技術文献】
【特許文献】
【０００４】
本願考案に係る半固形食品容器について、ＦＩ、キーワード検索を行ったところ、本件考案（本願の［実用新案登録請求の範囲］の請求項１〜６に記載の考案）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
半固形食品容器を使用しても、半固形食品と半固形食品容器の間に空気が入ることのない半固形食品容器を提供することである。
○本考案が解決しようとする第２課題
本考案が解決しようとする第２課題は、
省資源の観点から、半固形食品と半固形食品容器の間に空気が入ることのない、半固形食品を完全に使い切ることができる半固形食品容器を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
以下、本考案に係る、半固形食品容器１００の用語について、図面を参照しながら説明する。
●半固形食品容器１００とは、二重構造の容器体Ｃ１２と、駆動部Ｄと掴み部Ｈからなる手動回転摺動軸廻しＨＤと、回転摺動固定軸ＲＦＳとからなり、半固形食品を空気が入ることのなく完全に使い切るための容器である（図１）。
●二重構造の容器体Ｃ１２とは、第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造になっている容器体をいう（図２）。
●手動回転摺動軸廻しＨＤとは、駆動部Ｄと掴み部Ｈからなる手動で回転摺動軸を回転させるものである（図８）。
●駆動部Ｄとは、回転摺動軸ＲＳに直接作用して回転摺動軸ＲＳを回転させる部分をいう。
例えば、駆動部Ｄは、回転摺動軸ＲＳの容器底側（角穴ｈ）に挿入されてなるものが例示される。
●掴み部Ｈとは、手動回転摺動軸廻しＨＤの中の手で掴んで駆動部Ｄを回転させる部分をいう。
●回転摺動固定軸ＲＦＳとは、回転摺動軸ＲＳと回転摺動軸ＲＳに挿入された固定軸ＦＳからなり、
回転摺動軸ＲＳの一方側に食品穴ｆＨを有する固定軸ＦＳが挿入され、回転摺動軸ＲＳの他方側において、回転摺動軸ＲＳと第３の口部Ｏ３が結合されてなり、回転摺動軸ＲＳは、固定軸ＦＳに対して、周方向に回転可能に、軸方向に摺動可能に結合されてなるものをいう（図３）。
●回転摺動軸ＲＳとは、
（１）回転摺動軸ＲＳの容器口側に食品穴ｆＨを有する固定軸ＦＳが挿入され、
（２）回転摺動軸ＲＳの容器底側と第３の口部Ｏ３が結合されてなると共に、
（３）回転摺動軸ＲＳは、固定軸ＦＳに対して、周方向に回転可能に、軸方向に摺動可能に結合されてなる回転摺動可能な軸をいう（図７）。
●固定軸ＦＳとは、容器口付近に食品穴ｆＨを有し、回転摺動軸ＲＳの容器口側に挿入され、固定軸ＦＳの容器口側が第２の口部Ｏ２と結合されると固定して動かない軸をいう（図８）。
●外側容器Ｃ１とは、内側容器Ｃ２を入れる容器であり、第１の口部Ｏ１を有するが、外側容器Ｃ１の底部は開口されてなり、内側容器Ｃ２よりも剛性を有する容器である。
●内側容器Ｃ２とは、半固形食品ｆを入れる容器であり、第２の口部Ｏ２を有するが、内側容器Ｃ２の底部に第３の口部Ｏ３が設けられ、内側容器Ｃ２の容器部は柔軟性を有すると共に、第１の口部Ｏ１を有する外側容器Ｃ１の中に入っている容器である。
●第１の口部Ｏ１とは、外側容器Ｃ１の容器口側に設けられた口部をいう。
●第２の口部Ｏ２とは、内側容器Ｃ２の容器口側に設けられた口部をいう。
●第３の口部Ｏ３とは、内側容器Ｃ２の容器底側に設けられた口部をいう。
●手動回転摺動軸廻しＨＤの摘み部Ｈが外側容器Ｃ１の底部と篏合してなるとは、手動回転摺動軸廻しＨＤの摘み部Ｈの容器口側が筒状になっていて、外側容器Ｃ１の底部がスキマを有するように挿入されてなることをいう。
●食品穴ｆＨとは、内側容器Ｃ２に入れられた半固形食品ｆを送出するための通り道となるべく固定軸ＦＳに設けられた空洞をいう（図５、図６）。
内側容器Ｃ２内の空間と半固形食品容器１００の外の空間が食品穴ｆＨによって通じていることによって、内側容器Ｃ２に入れられた半固形食品ｆを送出することが可能となる。
また、逆に、内側容器Ｃ２内の空間と半固形食品容器１００の外の空間が食品穴ｆＨによって通じていることによって、半固形食品容器１００の外から半固形食品ｆを内側容器Ｃ２に入れることも可能となる。
●角穴ｈとは、回転摺動軸ＲＳの容器底側に設けられた多角形の穴をいう。
例えば、多角形として、四角形、六角形が例示される。
手動回転摺動軸廻しＨＤの駆動部Ｄを角穴ｈに挿入して、手動回転摺動軸廻しＨＤを手で回すと、回転摺動軸ＲＳが回転摺動されることとなる。
●蓋ｃとは、外側容器Ｃ１の第１の口部Ｏ１に被せる蓋をいう。
＊＊＊＊＊＊＊＊＊＊＊＊＊＊＊＊＊＊＊＊＊＊＊＊＊＊＊＊＊＊＊＊＊＊＊
＜本願考案に係る半固形食品容器１００の製作手順＞
本発明に係る本願考案に係る半固形食品容器１００の製作手順を、以下の通りステップ１（Ｓ１）〜ステップ４（Ｓ４）に示す。
●ステップ１（Ｓ１）
外側容器Ｃ１の中に、内側容器Ｃ２を入れ、第１の口部Ｏ１と第２の口部Ｏ２が結合してなる二重構造の容器体Ｃ１２を製作する。
●ステップ２（Ｓ２）
回転摺動軸ＲＳの容器口側に食品穴ｆＨを有する固定軸ＦＳを挿入し、回転摺動軸ＲＳは、固定軸ＦＳに対して、周方向に回転可能に、軸方向に摺動可能に結合されてなる回転摺動固定軸ＲＦＳを製作する。
●ステップ３（Ｓ３）
回転摺動固定軸ＲＦＳを内側容器Ｃ２の中に挿入し、回転摺動軸ＲＳの容器底側と第３の口部Ｏ３を結合し、固定軸ＦＳと第２の口部Ｏ２を結合する。
●ステップ４（Ｓ４）
手動回転摺動軸廻しＨＤの摘み部Ｈを外側容器Ｃ１の底部と篏合させる。
＊＊＊＊＊＊＊＊＊＊＊＊＊＊＊＊＊＊＊＊＊＊＊＊＊＊＊＊＊＊＊＊＊＊＊
＜本願考案に係る半固形食品容器１００の使用方法＞
製作された本願考案に係る半固形食品容器１００は、以下のようにして使用する。
（１）手動回転摺動軸廻しＨＤが回転摺動軸ＲＳを回転駆動させることによって内側容器Ｃ２が捩られ、同時に軸方向に摺動することによって、内側容器Ｃ２の容積が減少して、半固形食品ｆを食品穴ｆＨを通って送出させる（絞り出す）ことが可能となる。
（２）半固形食品ｆを完全に使い切るまで、（１）を繰り返す。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
○第１の考案（請求項１に記載の考案）
上記の課題を解決するための第１の考案（請求項１に記載の考案）は、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることを特徴とする請求項１に記載された半固形食品容器１００である。
○第２の考案（請求項２に記載の考案）
上記の課題を解決するための第２の考案（請求項２に記載の考案）は、
手動回転摺動軸廻しＨＤの掴み部Ｈが外側容器Ｃ１の底部と篏合してなることを特徴とする請求項１に記載された半固形食品容器１００である。
○第３の考案（請求項３に記載の考案）
上記の課題を解決するための第３の考案（請求項３に記載の考案）は、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることを特徴とする請求項１〜２の何れかに記載された半固形食品容器１００である。
○第４の考案（請求項４に記載の考案）
上記の課題を解決するための第４の考案（請求項４に記載の考案）は、
回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることを特徴とする請求項１〜３の何れかに記載された半固形食品容器１００である。
○第５の考案（請求項５に記載の考案）
上記の課題を解決するための第５の考案（請求項５に記載の考案）は、
第１の口部Ｏ１には、使用しない場合、半固形食品ｆが外に出て行かないように蓋ｃをしてなることを特徴とする請求項１〜４の何れかに記載された半固形食品容器１００である。
○第６の考案（請求項６に記載の考案）
上記の課題を解決するための第６の考案（請求項６に記載の考案）は、
半固形食品ｆが、マヨネーズ、ケチャップ、練りからし、山葵であることを特徴とする請求項１〜５の何れかに記載された半固形食品容器１００である。
【考案の効果】
【０００７】
本考案に係る、半固形食品容器１００は、上記のような特徴的構成要件から構成され、特徴的構成要件に応じた、以下のような本願考案特有の効果を奏する。
また、上記の各考案に応じた、上記のような特徴的構成要件から構成された半固形食品容器１００によれば、本願考案の課題を十分解消することができた。
○第１の考案の効果
第１の考案によれば、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることという特徴的な構成要件により、本考案が解決しようとする第１課題〜第２課題を達成することができ、当業者予測不可能な顕著な効果を奏することができた。
○第２の考案の効果
第２の考案によれば、
手動回転摺動軸廻しＨＤの掴み部Ｈが外側容器Ｃ１の底部と篏合してなることという特徴的な構成要件により、本考案が解決しようとする第１課題〜第２課題を達成することができ、当業者予測不可能な顕著な効果を奏することができた。
○第３の考案の効果
第３の考案によれば、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることという特徴的な構成要件により、本考案が解決しようとする第１課題〜第２課題を達成することができ、当業者予測不可能な顕著な効果を奏することができた。
○第４の考案の効果
第４の考案によれば、
回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることという特徴的な構成要件により、本考案が解決しようとする第１課題〜第２課題を達成することができ、当業者予測不可能な顕著な効果を奏することができた。
○第５の考案の効果
第５の考案によれば、
第１の口部Ｏ１には、使用しない場合、半固形食品ｆが外に出て行かないように蓋ｃをしてなることという特徴的な構成要件により、本考案が解決しようとする第１課題〜第２課題を達成することができ、当業者予測不可能な顕著な効果を奏することができた。
○第６の考案の効果
第６の考案によれば、
半固形食品ｆが、マヨネーズ、ケチャップ、練りからし、山葵であることという特徴的な構成要件により、本考案が解決しようとする第１課題〜第２課題を達成することができ、当業者予測不可能な顕著な効果を奏することができた。
【考案を実施するための最良の形態】
【０００８】
以下、本考案に係る、半固形食品容器１００に関する最良の実施形態について、図面を参照しながら説明する。
図１は、半固形食品容器１００の構成図（断面図）である。断面は、構成部分毎に濃淡を付けている。
図２は、回転摺動軸ＲＳと固定軸ＦＳからなる回転摺動固定軸ＲＦＳを表す図である。
図３は、外側容器Ｃ１と内側容器Ｃ２とからなる二重構造の容器体Ｃ１２を表す図である。
図４は、二重構造の容器体Ｃ１２の中に、回転摺動固定軸ＲＦＳを挿入した状態を表す図である。
図５は、半固形食品容器１００の外から半固形食品ｆを内側容器Ｃ２に入れる状態を表す図である。
図６は、内側容器Ｃ２に入れた半固形食品ｆを半固形食品容器１００の外へ絞り出す状態を表す図である。
図７は、回転摺動軸ＲＳを表す図である。（Ａ）図は、回転摺動軸ＲＳの正面断面図であり、（Ｂ）図は、（Ａ）図のＡＡ矢視断面図であり、（Ｃ）図は、（Ａ）図のＢＢ矢視断面図である。
図８は、手動回転摺動軸廻しＨＤを表す図である。（Ａ）図は、手動回転摺動軸廻しＨＤの正面断面図であり、（Ｂ）図は、（Ａ）図のＡＡ矢視断面図である。
図９は、固定軸ＦＳを表す図である。（Ａ）図は、固定軸ＦＳの正面断面図であり、（Ｂ）図は、固定軸ＦＳの左側面図であり、（Ｃ）図は、固定軸ＦＳの右側面図であり、（Ｄ）図のＡＡ矢視断面図であり、（Ｅ）図は、（Ａ）図のＢＢ矢視断図である。
以下、本考案に係る、半固形食品容器１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることを特徴とする半固形食品容器１００が開示されている。
○第１の考案の効果
第１の考案によれば、
第１の口部Ｏ１を有する外側容器Ｃ１の中に、第２の口部Ｏ２を有する内側容器Ｃ２が入っており、外側容器Ｃ１の底部は開口されてなり、内側容器Ｃ２の底部に第３の口部Ｏ３が設けられ、内側容器Ｃ２の容器部は柔軟性を有すると共に、第１の口部Ｏ１と第２の口部Ｏ２が結合してなる二重構造の容器体Ｃ１２と、駆動部Ｄと掴み部Ｈからなる手動回転摺動軸廻しＨＤと、回転摺動軸ＲＳの容器口側に食品穴ｆＨを有する固定軸ＦＳが挿入され、回転摺動軸ＲＳの容器底側と第３の口部Ｏ３が結合されてなると共に、回転摺動軸ＲＳは、固定軸ＦＳに対して、周方向に回転可能に、軸方向に摺動可能に結合されてなる回転摺動固定軸ＲＦＳとからなる半固形食品容器１００において、
回転摺動固定軸ＲＦＳが内側容器Ｃ２の中に挿入されて、固定軸ＦＳと第２の口部Ｏ２が結合されると共に、手動回転摺動軸廻しＨＤが回転摺動軸を回転駆動させることによって内側容器Ｃ２を捩り、内側容器Ｃ２の半固形食品ｆを食品穴ｆＨを通って送出させることという特徴的な構成要件により、本考案が解決しようとする第１課題〜第２課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
手動回転摺動軸廻しＨＤの掴み部Ｈが外側容器Ｃ１の底部と篏合してなることを特徴とする請求項１に記載された半固形食品容器１００が開示されている。
○第２の考案の効果
第２の考案によれば、
手動回転摺動軸廻しＨＤの掴み部Ｈが外側容器Ｃ１の底部と篏合してなることという特徴的な構成要件により、本考案が解決しようとする第１課題〜第２課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることを特徴とする請求項１〜２の何れかに記載された半固形食品容器１００が開示されている。
○第３の考案の効果
第３の考案によれば、
手動回転摺動軸廻しＨＤを手で回すと、回転摺動軸ＲＳが回転摺動され、回転摺動軸ＲＳと一体になった内側容器Ｃ２が捻じれて内側容器Ｃ２が縮小し、内側容器Ｃ２の底部が第２の口部Ｏ２に移動することによって、半固形食品ｆを送出させることという特徴的な構成要件により、本考案が解決しようとする第１課題〜第２課題を達成することができ、当業者予測不可能な顕著な効果を奏することができた。
４４４４４＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることを特徴とする請求項１〜３の何れかに記載された半固形食品容器１００が開示されている。
○第４の考案の効果
第４の考案によれば、回転摺動軸ＲＳの他方側に角穴ｈが設けられ、手動回転摺動軸廻しＨＤの駆動部Ｄを角穴ｈに挿入して、手動回転摺動軸廻しＨＤを手で回すと、回転摺動軸ＲＳが回転摺動されることという特徴的な構成要件により、本考案が解決しようとする第１課題〜第２課題を達成することができ、当業者予測不可能な顕著な効果を奏することができた。
５５５５５＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
第１の口部Ｏ１には、使用しない場合、半固形食品ｆが外に出て行かないように蓋ｃをしてなることを特徴とする請求項１〜４の何れかに記載された半固形食品容器１００が開示されている。
○第５の考案の効果
第５の考案によれば、第１の口部Ｏ１には、使用しない場合、半固形食品ｆが外に出て行かないように蓋ｃをしてなることという特徴的な構成要件により、本考案が解決しようとする第１課題〜第２課題を達成することができ、当業者予測不可能な顕著な効果を奏することができた。
６６６６６＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記の半固形食品容器１００において、
半固形食品ｆが、マヨネーズ、ケチャップ、練りからし、山葵であることを特徴とする請求項１〜５の何れかに記載された半固形食品容器１００が開示されている。
○第６の考案の効果
第６の考案によれば、半固形食品ｆが、マヨネーズ、ケチャップ、練りからし、山葵であることという特徴的な構成要件により、本考案が解決しようとする第１課題〜第２課題を達成することができ、当業者予測不可能な顕著な効果を奏することができた。
【図面の簡単な説明】
【０００９】
【図１】図１は、半固形食品容器１００の構成図（断面図）である。断面は、構成部分毎に濃淡を付けている。
【図２】図２は、回転摺動軸ＲＳと固定軸ＦＳからなる回転摺動固定軸ＲＦＳを表す図である。
【図３】図３は、外側容器Ｃ１と内側容器Ｃ２とからなる二重構造の容器体Ｃ１２を表す図である。
【図４】図４は、二重構造の容器体Ｃ１２の中に、回転摺動固定軸ＲＦＳを挿入した状態を表す図である。
【図５】図５は、半固形食品容器１００の外から半固形食品ｆを内側容器Ｃ２に入れる状態を表す図である。
【図６】図６は、内側容器Ｃ２に入れた半固形食品ｆを半固形食品容器１００の外へ絞り出す状態を表す図である。
【図７】図７は、回転摺動軸ＲＳを表す図である。（Ａ）図は、回転摺動軸ＲＳの正面断面図であり、（Ｂ）図は、（Ａ）図のＡＡ矢視断面図であり、（Ｃ）図は、（Ａ）図のＢＢ矢視断面図である。
【図８】図８は、手動回転摺動軸廻しＨＤを表す図である。（Ａ）図は、手動回転摺動軸廻しＨＤの正面断面図であり、（Ｂ）図は、（Ａ）図のＡＡ矢視断面図である。
【図９】図９は、固定軸ＦＳを表す図である。（Ａ）図は、固定軸ＦＳの正面断面図であり、（Ｂ）図は、固定軸ＦＳの左側面図であり、（Ｃ）図は、固定軸ＦＳの右側面図であり、（Ｄ）図のＡＡ矢視断面図であり、（Ｅ）図は、（Ａ）図のＢＢ矢視断図である。
【符号の説明】
【００１０】
Ｏ１……第１の口部
Ｃ１……外側容器
Ｏ２……第２の口部
Ｃ２……内側容器
Ｏ３……第３の口部
Ｃ１２……二重構造の容器体
Ｄ……駆動部
Ｈ……掴み部
ＨＤ……手動回転摺動軸廻し
ＲＳ……回転摺動軸
ＦＳ……固定軸
ＲＦＳ……回転摺動固定軸
１００……半固形食品容器
ｆ……半固形食品
ｆＨ……食品穴
ｈ……角穴